(57)【要約】【課題】より簡易な配管構造を実現可能とするパネルバルブの配管構造及びパネルバルブの制御方法を提供する。【解決手段】本発明を適用したパネルバルブの配管構造の一例である配管構造１は、パネルバルブ２と、パネルブロック３を備えている。パネルバルブ２は、内部にピストンシリンダ構造を有するシリンダ部４と、内部に弁体を有するバルブ部５から構成されている。また、パネルバルブ２はバルブ部５の外周面にバルブ側接合部６を有している。バルブ側接合部６には、エア供給排気口９が設けられている。エア供給排気口９は、エア用配管１０に連結され、同配管を介してシリンダ部４の内部に空気を供給排気する。また、シリンダ部４の内部では、空気の供給排出によりピストンが往復動作するものとなる。【選択図】図１
2017067280.tif 000002
【特許請求の範囲】
【請求項１】
バルブ流体経路が内部に設けられたバルブ本体と、
該バルブ流体経路に形成された弁口を開閉して流体の流れを制御する弁体と、
前記バルブ本体に設けられ、前記弁体を制御するための空気を供給及び排出するバルブ空気経路と、
前記バルブ本体の外周面に設けられると共に、前記バルブ流体経路と連通し流体が供給及び排出されるバルブ側流体連通口と、前記バルブ空気経路と連通し空気が供給及び排出されるバルブ側空気連通口とが形成されたバルブ側接合部と、
該バルブ側接合部と対向して位置し、同バルブ側接合部と面合接合可能に設けられると共に、前記バルブ側流体連通口及び前記バルブ側空気連通口と連通可能な配管経路が形成されたパネルブロック側接合部とを備える
パネルバルブの配管構造。
【請求項２】
前記弁体は前記バルブ空気経路への空気の供給または排出で進退動作するピストンに接続された
請求項１に記載のパネルバルブの配管構造。
【請求項３】
前記バルブ空気経路は前記パネルブロック側接合部の配管経路のみと連通した
請求項１または請求項２に記載のパネルバルブの配管構造。
【請求項４】
所定のパネルブロックのパネルブロック側接合部と接合可能なバルブ側接続部に設けたバルブ側空気連通口に空気を供給または該バルブ側空気連通口から空気を排出させてバルブ内の弁体を作動させ、バルブ内の流体の流れを制御する
パネルバルブの制御方法。
【請求項５】
前記パネルブロック側接合部に連通した配管から前記バルブ側連通口へ空気を供給する
請求項４に記載のパネルバルブの制御方法。
【発明の詳細な説明】
【技術分野】
【０００１】
本発明はパネルバルブの配管構造及びパネルバルブの制御方法に関する。詳しくは、より簡易な配管構造を実現可能とするパネルバルブの配管構造及びパネルバルブの制御方法に係るものである。
【背景技術】
【０００２】
配管構造に流体を制御するためのパネルバルブが用いられている。パネルバルブは、複数のバルブを１か所に集め、ユニット化させる際に利用され、配管構造側に設けたパネルブロックに取り付ける構造となっている。
【０００３】
パネルバルブは、配管中に設けたフランジに取り付けられるフランジバルブとは異なり、バルブ部分のみの交換が可能である。また、バルブ交換時にフランジ部分や配管のゆがみが生じにくいという利点を有している。
【０００４】
パネルバルブ及び配管側のパネルブロックの接合箇所には、両方に略垂直な面が形成されている。また、各内部に流体経路が設けられ、この経路の位置を合わせて面同士を接合して外部から力をかけて固定するものとなっている。
【０００５】
また、パネルバルブの内部には蒸気や高圧ガス等を含む流体が流れる経路が形成されている。流体経路はバルブ内部への供給経路とバルブから外部への排出経路で構成される。流体経路の途中には弁口が形成され、弁体により弁口を開放または閉鎖することで流体の流れが制御される。
【０００６】
また、弁体にはバルブステム及びピストンが取り付けられており、このピストンの往復動作に伴い、上下に往復移動するものである。また、ピストンはバルブ内部に設けられた空気の供給経路に接続され、空気の供給または排出により往復動作を行う。
【０００７】
上述したようなパネルバルブの構造として、例えば、特許文献１に記載のパネルバルブが存在する。特許文献１に記載のパネルバルブでは、高温高圧の流体に対応可能なガスケットパッキンが使用され、これを適正位置に収容保持するための凹部がバルブ側に設けられている。
【０００８】
特許文献１に記載のパネルバルブをはじめ、従来のパネルバルブの構造では、パネルバルブとパネルブロックの接合箇所とは独立した位置に、空気の配管経路が接続されている。例えば、図２に示すように、パネルバルブ１００の上端に空気を供給排出する配管１０１が接続されていた。配管１０１は空気を供給排出する駆動源に連結されている。
【先行技術文献】
【特許文献】
【０００９】
【特許文献１】特開２００４−０４４６３４号公報
【発明の概要】
【発明が解決しようとする課題】
【００１０】
しかしながら、図２に示すようなパネルバルブの位置に空気の配管経路を接続することは、バルブを集約させ、配管構造をコンパクト化するパネルバルブの利点を阻害するものとなる。
【００１１】
より詳細には、流体の配管経路が集約されても、空気を供給排出するための配管経路が流体の配管経路とは別途設けられるものとなり、結果として複雑な配管構造となる。また、パネルバルブの交換の際に、空気用の配管の取り外しやつなぎ替えが必要となり保守作業が煩雑になっていた。
【００１２】
また、複数のパネルバルブを集約させた場合には、隣接するパネルバルブの空気用の配管が存在するため、この配管との干渉を考慮する必要も生じていた。
【００１３】
本発明は、以上の点に鑑みて創案されたものであり、より簡易な配管構造を実現可能とするパネルバルブの配管構造及びパネルバルブの制御方法を提供することを目的とする。
【課題を解決するための手段】
【００１４】
上記の目的を達成するために、本発明のパネルバルブの配管構造は、バルブ流体経路が内部に設けられたバルブ本体と、該バルブ流体経路に形成された弁口を開閉して流体の流れを制御する弁体と、前記バルブ本体に設けられ、前記弁体を制御するための空気を供給及び排出するバルブ空気経路と、前記バルブ本体の外周面に設けられると共に、前記バルブ流体経路と連通し流体が供給及び排出されるバルブ側流体連通口と、前記バルブ空気経路と連通し空気が供給及び排出されるバルブ側空気連通口とが形成されたバルブ側接合部と、該バルブ側接合部と対向して位置し、同バルブ側接合部と面合接合可能に設けられると共に、前記バルブ側流体連通口及び前記バルブ側空気連通口と連通可能な配管経路が形成されたパネルブロック側接合部とを備える。
【００１５】
ここで、バルブ流体経路が内部に設けられたバルブ本体によって、流体をバルブ内に供給排出可能となる。なお、ここでいう流体とは、配管経路で供給排出される液体や気体であり、蒸気や高圧ガス等を含むものである。
【００１６】
また、バルブ流体経路に形成された弁口を開閉して流体の流れを制御する弁体によって、バルブによる流体の制御が可能となる。
【００１７】
また、バルブ本体に設けられ、弁体を制御するための空気を供給及び排出するバルブ空気経路によって、バルブに空気を供給排出可能となる。また、空気で弁体の動きを制御し、弁口を開閉させて流体を制御することができる。
【００１８】
また、バルブ本体の外周面に設けられたバルブ側接合部と、バルブ側接合部と対向して位置し、バルブ側接合部と面合接合可能に設けられたパネルブロック側接合部によって、パネルバルブをパネルブロックに取り付けることができる。即ち、流体が流れる所定の配管構造にパネルブロックを設け、その位置にパネルバルブを固定できるものとなる。
【００１９】
また、バルブ流体経路と連通し流体が供給及び排出されるバルブ側流体連通口と、バルブ空気経路と連通し空気が供給及び排出されるバルブ側空気連通口とが形成されたバルブ側接合部によって、バルブ側接合部での流体及び空気の取り込みと排出が可能となる。また、空気の供給排出のための接続に必要な部材点数を減らすことができる。
【００２０】
また、バルブ側流体連通口及びバルブ側空気連通口と連通可能な配管経路が形成されたパネルブロック側接合部によって、パネルブロック側接合部からパネルバルブ側への流体及び空気の供給排出が可能となる。
【００２１】
また、弁体がバルブ空気経路への空気の供給または排出で進退動作するピストンに接続された場合には、ピストンを空気の供給排出で作動させて弁体が動くものとなる。即ち、ピストンの作動で弁口を開閉させて流体を制御することができる。
【００２２】
また、バルブ空気経路がパネルブロック側接合部の配管経路のみと連通した場合には、パネルバルブ内の空気経路はパネルブロック側接合部との間で閉塞した経路が形成されるものとなる。即ち、空気をパネルバルブに供給排出するための配管の接続構造がパネルブロック側接合部に位置し、別途の空気用の配管構造の引き回しや接続構造を設ける必要がなくなる。
【００２３】
また、上記の目的を達成するために、本発明のパネルバルブの制御方法は、所定のパネルブロックのパネルブロック側接合部と接合可能なバルブ側接続部に設けたバルブ側空気連通口に空気を供給または該バルブ側空気連通口から空気を排出させてバルブ内の弁体を作動させ、バルブ内の流体の流れを制御するものとなっている。
【００２４】
ここで、所定のパネルブロックのパネルブロック側接合部と接合可能なバルブ側接続部に設けたバルブ側空気連通口に空気を供給またはバルブ側空気連通口から空気を排出させることによって、バルブ側接合部での空気の取り込みと排出が可能となる。また、空気の供給排出のための接続に必要な部材点数を減らすことができる。
【００２５】
また、パネルブロック側接合部に連通した配管からバルブ側連通口へ空気を供給する場合には、パネルバルブ内の空気経路はパネルブロック側接合部との間で閉塞した経路が形成されるものとなる。即ち、空気をパネルバルブに供給排出するための配管の接続構造がパネルブロック側接合部に位置し、別途の空気用の配管構造の引き回しや接続構造を設ける必要がなくなる。
【発明の効果】
【００２６】
本発明に係るパネルバルブの配管構造は、より簡易な配管構造を実現可能なものとなっている。
また、本発明に係るパネルバルブの制御方法は、より簡易な配管構造を利用する制御方法となっている。
【図面の簡単な説明】
【００２７】
【図１】本発明を適用したパネルバルブの配管構造を示す概略図である。
【図２】従来のパネルバルブの配管構造を示す概略図である。
【発明を実施するための形態】
【００２８】
以下、本発明の実施の形態について図面を参照しながら説明し、本発明の理解に供する。
図１は、本発明を適用したパネルバルブの配管構造を示す概略図である。なお、以下に示す構造は本発明の一例であり、本発明の内容はこれに限定されるものではない。
【００２９】
図１に示すように、本発明を適用したパネルバルブの配管構造の一例である配管構造１は、パネルバルブ２と、パネルブロック３を備えている。
【００３０】
パネルブロック３は流体が流れる配管経路上に設けられ、パネルバルブ２を配管経路に取り付ける部分となる。パネルバルブ２は内部に流体が流れるバルブ内流体経路（図示せず）が設けられた流体を制御する装置である。
【００３１】
図１の左側で示すように、パネルバルブ２は、内部にピストンシリンダ構造を有するシリンダ部４と、内部に弁体を有するバルブ部５から構成されている。
【００３２】
また、パネルバルブ２はバルブ部５の外周面にバルブ側接合部６を有している。バルブ側接合部６は略垂直な端面として形成され、後述するブロック側接合部と面合接合する箇所である。
【００３３】
また、バルブ側接合部６には、バルブ内流体経路と連通した流体供給口７及び流体排出口８が形成されている。バルブ内流体経路は供給経路と排出経路から構成され、各々の経路のバルブ側接合部６における端部が流体供給口７及び流体排出口８となっている。
【００３４】
また、バルブ側接合部６にはエア供給排気口９が設けられている。エア供給排気口９は、エア用配管１０に連結され、同配管を介してシリンダ部４の内部に空気を供給排気する。また、シリンダ部４の内部では空気の供給排出によりピストン（図示せず）が往復動作するものとなる。
【００３５】
また、ピストンはバルブステムを介して弁体に接続された直動型ピストンバルブとなっている。弁体はバルブ部内部に位置し、ピストンの往復動作に伴い、バルブ内流体経路の途中に設けられた弁口を開閉する部材である。弁口の開閉によりパネルバルブ２の内部の流体の流れが制御される。
【００３６】
ここで、必ずしも、ピストンが直動型ピストンバルブである必要はなく、空気の供給排出によりピストンが作動可能な構成となっていれば充分である。
【００３７】
また、必ずしも、バルブ上部から空気が供給排出されてピストンが作動する構成となる必要はない。例えば、バルブ下部から空気が供給排出されてピストンが作動する構成であってもよい。
【００３８】
図１の右側にはパネルブロック３を示している。パネルブロック３は略垂直な端面のブロック側接合部１１を有している。ブロック側接合部１１は前述したようにパネルバルブ２のバルブ側接合部６と面合接合する。
【００３９】
また、ブロック側接合部１１には、パネルブロック３が設けられた流体の流れる配管経路と連通したブロック側流体供給口１２及びブロック側流体排出口１３が形成されている。
【００４０】
ブロック側接合部１１とパネル側接合６が面合接合した状態で、バルブ側接合部６の流体供給口７及び流体排出口８が、ブロック側接合部１１のブロック側流体供給口１２及びブロック側流体排出口１３にそれぞれ符号するものとなる。各供給口及び排出口が符号し、配管経路とパネルバルブ２との間の流体経路が形成される。
【００４１】
また、ブロック側接合部１１には、空気を供給排出する配管経路と連結したブロック側エア供給排気口１４が設けられている。
【００４２】
ブロック側接合部１１とパネル側接合６が面合接合した状態で、バルブ側接合部６のエア供給排気口９が、ブロック側接合部１１のブロック側エア供給排気口１４に符号するものとなる。各供給排気口が符号し、配管経路とパネルバルブ２との間の空気用の経路が形成される。
【００４３】
また、ブロック側接合部１１とパネル側接合６が面合接合した状態では、固定器具を用いて両接合部が挟持固定される構造となっている。また、固定時には、ブロック側接合部１１とパネル側接合６との間には、必要に応じて既存のガスケットパッキン等が取り付けられ、接合部の気密性が担保されるものとなる。
【００４４】
これまでに述べてきた本発明を適用したパネルバルブの配管構造の一例では、パネルバルブをパネルブロックに取り付けるだけで、バルブの弁口を開閉させるための空気の供給経路が形成されるものとなっている。
【００４５】
これにより、パネルバルブ側に設けられた空気用の配管経路を取り外すことなく、パネルバルブ全体の着脱が可能となり、保守性が向上するものとなっている。また、複数のパネルバルブを集約させても、他のパネルバルブの空気用の配管との干渉が生じにくい構造にすることができる。
【００４６】
以上のように、本発明のパネルバルブの配管構造は、より簡易な配管構造を実現可能なものとなっている。
また、本発明のパネルバルブの制御方法は、より簡易な配管構造を利用する制御方法となっている。
【符号の説明】
【００４７】
１      配管構造
２      パネルバルブ
３      パネルブロック
４      シリンダ部
５      バルブ部
６      バルブ側接合部
７      流体供給口
８      流体排出口
９      エア供給排気口
１０      エア用配管
１１      ブロック側接合部
１２      ブロック側流体供給口
１３      ブロック側流体排出口
１４      ブロック側エア供給排気口
【図１】
2017067280.tif 000003
【図２】
2017067280.tif 000004